(57)【特許請求の範囲】
【請求項１】
複数の医用画像データを記憶する第１記憶手段と、前記第１記憶手段に記憶されている医用画像データに基づいて医用画像を表示する表示手段と、を備える医用画像表示装置であって、
前記第１記憶手段に記憶されている複数の医用画像データのそれぞれは、当該医用画像データに基づく医用画像が表示された際の濃度に関する濃度調整値が対応付けられており、
前記第１記憶手段に記憶されている複数の医用画像データのうち、調整基準とする医用画像データをユーザーが指定するための指定手段と、
前記調整基準とする医用画像データ及び当該医用画像データに対応付けられた濃度調整値に基づいて、前記表示手段に調整基準医用画像を表示させる表示制御手段と、
前記表示手段に表示された調整基準医用画像の濃度調整をユーザーが指示するための調整指示手段と、
前記第１記憶手段に記憶されている複数の医用画像データのうち、前記調整基準とする医用画像データ以外の医用画像データのそれぞれについて、前記調整基準医用画像に対する濃度調整により変更された内容を示す変更情報に基づいて、当該医用画像データに対応付けられた濃度調整値を変更する一括調整手段と、
前記調整基準とする医用画像データについて、当該医用画像データに対応付けられた濃度調整値が更新された日時である更新日時と、当該医用画像データに対する変更値と、を対応付けて記憶する第２記憶手段と、
を備え、
前記一括調整手段は、前記調整基準とする医用画像データ以外の医用画像データのそれぞれについて、前記第２記憶手段に対応付けて記憶された前記更新日時と前記変更値に基づいて、当該医用画像データの更新日時に対応する変更値を算出し、当該医用画像データに対応付けられた濃度調整値を、当該算出された変更値に基づいて変更する医用画像表示装置。
【請求項２】
前記変更情報は、前記調整基準とする医用画像データに対応付けられた濃度調整値の調整前後の差分を示す変更値である請求項１に記載の医用画像表示装置。
【請求項３】
前記調整基準とする医用画像データは、一つであり、
前記一括調整手段は、前記調整基準とする医用画像データ以外の医用画像データのそれぞれについて、当該医用画像データに対応付けられた濃度調整値に前記調整基準とする医用画像データに対する変更値を加算する請求項２に記載の医用画像表示装置。
【請求項４】
前記指定手段は、前記第１記憶手段に記憶されている複数の医用画像データの所定の分類毎に、前記調整基準とする医用画像データを指定可能であり、
前記一括調整手段は、前記第１記憶手段に記憶されている複数の医用画像データのうち、前記調整基準とする医用画像データ以外の医用画像データのそれぞれについて、前記所定の分類毎に得られた前記変更情報に基づいて、当該医用画像データに対応付けられた濃度調整値を変更する請求項１から３のいずれか一項に記載の医用画像表示装置。
【請求項５】
前記所定の分類は、モダリティー種、機種、画像サイズ、部位、患者又はそれらの組み合わせである請求項４に記載の医用画像表示装置。
【請求項６】
複数の医用画像データを記憶する第１記憶手段と、前記第１記憶手段に記憶されている医用画像データに基づいて医用画像を表示する表示手段と、ユーザーによる操作を受け付ける操作手段と、制御手段と、第２記憶手段と、を備える医用画像表示装置における医用画像調整方法であって、
前記第１記憶手段に記憶されている複数の医用画像データのそれぞれは、当該医用画像データに基づく医用画像が表示された際の濃度に関する濃度調整値が対応付けられており、
前記操作手段が、前記第１記憶手段に記憶されている複数の医用画像データのうち、調整基準とする医用画像データのユーザーによる指定を受け付ける指定工程と、
前記制御手段が、前記調整基準とする医用画像データ及び当該医用画像データに対応付けられた濃度調整値に基づいて、前記表示手段に調整基準医用画像を表示させる表示制御工程と、
前記操作手段が、前記表示手段に表示された調整基準医用画像のユーザーによる濃度調整の指示を受け付ける調整指示工程と、
前記制御手段が、前記調整基準とする医用画像データについて、当該医用画像データに対応付けられた濃度調整値が更新された日時である更新日時と、当該医用画像データに対する変更値と、を対応付けて前記第２記憶手段に記憶させる記憶制御工程と、
前記制御手段が、前記第１記憶手段に記憶されている複数の医用画像データのうち、前記調整基準とする医用画像データ以外の医用画像データのそれぞれについて、前記調整基準医用画像に対する濃度調整により変更された内容を示す変更情報に基づいて、当該医用画像データに対応付けられた濃度調整値を変更する一括調整工程と、
を含み、
前記一括調整工程では、前記制御手段が、前記調整基準とする医用画像データ以外の医用画像データのそれぞれについて、前記第２記憶手段に対応付けて記憶された前記更新日時と前記変更値に基づいて、当該医用画像データの更新日時に対応する変更値を算出し、当該医用画像データに対応付けられた濃度調整値を、当該算出された変更値に基づいて変更する医用画像調整方法。
【請求項７】
複数の医用画像データを記憶する第１記憶手段と、前記第１記憶手段に記憶されている医用画像データに基づいて医用画像を表示する表示手段と、第２記憶手段と、を備え、前記第１記憶手段に記憶されている複数の医用画像データのそれぞれは、当該医用画像データに基づく医用画像が表示された際の濃度に関する濃度調整値が対応付けられている医用画像表示装置のコンピューターを、
前記第１記憶手段に記憶されている複数の医用画像データのうち、調整基準とする医用画像データをユーザーが指定するための指定手段、
前記調整基準とする医用画像データ及び当該医用画像データに対応付けられた濃度調整値に基づいて、前記表示手段に調整基準医用画像を表示させる表示制御手段、
前記表示手段に表示された調整基準医用画像の濃度調整をユーザーが指示するための調整指示手段、
前記調整基準とする医用画像データについて、当該医用画像データに対応付けられた濃度調整値が更新された日時である更新日時と、当該医用画像データに対する変更値と、を対応付けて前記第２記憶手段に記憶させる記憶制御手段、
前記第１記憶手段に記憶されている複数の医用画像データのうち、前記調整基準とする医用画像データ以外の医用画像データのそれぞれについて、前記調整基準医用画像に対する濃度調整により変更された内容を示す変更情報に基づいて、当該医用画像データに対応付けられた濃度調整値を変更する一括調整手段、
として機能させるためのプログラムであって、
前記一括調整手段は、前記調整基準とする医用画像データ以外の医用画像データのそれぞれについて、前記第２記憶手段に対応付けて記憶された前記更新日時と前記変更値に基づいて、当該医用画像データの更新日時に対応する変更値を算出し、当該医用画像データに対応付けられた濃度調整値を、当該算出された変更値に基づいて変更するプログラム。
【発明の詳細な説明】
【技術分野】
【０００１】
本発明は、医用画像表示装置、医用画像調整方法及びプログラムに関する。
【背景技術】
【０００２】
医療分野では、各種モダリティー（画像生成装置）により生成された医用画像を表示して、医師が病変の状態を観察する読影診断が行われている。また、ＰＡＣＳ（Picture Archiving and Communication System）等の医用画像管理システムの普及により、ＣＲ（Computed Radiography）、ＣＴ（Computed Tomography）、ＭＲＩ（Magnetic Resonance Imaging）等のモダリティーにより生成された医用画像は、デジタル画像として保存されている。
【０００３】
医用画像の読影においては、医師の操作に応じて、表示されている画像中の病変を把握しやすい濃度に変更する等、診断に適した画像にするために濃度調整が行われる。調整された濃度に関する情報（濃度調整値）は、医用画像に対応付けられて保存される。そのため、後日、その医用画像を再度表示する際には、濃度調整値に基づいて最適化された状態で画像が表示される。
【０００４】
例えば、医用画像の階調補正を行う技術として、ハードウェアにカラーマネジメントを行う機能が用意されていない場合であっても、医用画像の表示機能を有する個別のアプリケーションに対して階調補正に対応する改修をすることなく、適切な階調で医用画像を表示できる医用画像表示装置が提案されている（特許文献１参照）。この医用画像表示装置では、予め作成されたＧＳＤＦ（Grayscale Standard Display Function）変換用のルックアップテーブルが用いられている。
【先行技術文献】
【特許文献】
【０００５】
【特許文献１】特開２０１５−７０９９９号公報
【発明の概要】
【発明が解決しようとする課題】
【０００６】
しかしながら、医用画像を表示するモニターの輝度は、使用に応じて劣化していくため、医療施設においてモニターを含むＰＡＣＳの入れ替え（データ移行）が行われた場合、新しいモニターで医用画像を表示する際に、変更前の古いモニターにおける表示時に保存された濃度調整値を用いると、画像が明る過ぎるという問題があった。
【０００７】
また、特許文献１に記載の技術では、キャリブレーションツール（例えば、バルコ社のMedical QA web Mobile等）により表示装置の表示階調特性情報を計測して、ＧＳＤＦ変換用のルックアップテーブルを作成する必要があるため、階調調整作業が煩雑なものとなっていた。
【０００８】
本発明は、上記の従来技術における問題に鑑みてなされたものであって、他の医用画像表示装置で濃度調整された医用画像データに対し、特別なツールを使うことなく、容易に最適な濃度に調整することを課題とする。
【課題を解決するための手段】
【０００９】
上記課題を解決するために、請求項１に記載の発明は、複数の医用画像データを記憶する第１記憶手段と、前記第１記憶手段に記憶されている医用画像データに基づいて医用画像を表示する表示手段と、を備える医用画像表示装置であって、前記第１記憶手段に記憶されている複数の医用画像データのそれぞれは、当該医用画像データに基づく医用画像が表示された際の濃度に関する濃度調整値が対応付けられており、前記第１記憶手段に記憶されている複数の医用画像データのうち、調整基準とする医用画像データをユーザーが指定するための指定手段と、前記調整基準とする医用画像データ及び当該医用画像データに対応付けられた濃度調整値に基づいて、前記表示手段に調整基準医用画像を表示させる表示制御手段と、前記表示手段に表示された調整基準医用画像の濃度調整をユーザーが指示するための調整指示手段と、前記第１記憶手段に記憶されている複数の医用画像データのうち、前記調整基準とする医用画像データ以外の医用画像データのそれぞれについて、前記調整基準医用画像に対する濃度調整により変更された内容を示す変更情報に基づいて、当該医用画像データに対応付けられた濃度調整値を変更する一括調整手段と、前記調整基準とする医用画像データについて、当該医用画像データに対応付けられた濃度調整値が更新された日時である更新日時と、当該医用画像データに対する変更値と、を対応付けて記憶する第２記憶手段と、を備え、前記一括調整手段は、前記調整基準とする医用画像データ以外の医用画像データのそれぞれについて、前記第２記憶手段に対応付けて記憶された前記更新日時と前記変更値に基づいて、当該医用画像データの更新日時に対応する変更値を算出し、当該医用画像データに対応付けられた濃度調整値を、当該算出された変更値に基づいて変更する。
【００１０】
請求項２に記載の発明は、請求項１に記載の医用画像表示装置において、前記変更情報は、前記調整基準とする医用画像データに対応付けられた濃度調整値の調整前後の差分を示す変更値である。
【００１１】
請求項３に記載の発明は、請求項２に記載の医用画像表示装置において、前記調整基準とする医用画像データは、一つであり、前記一括調整手段は、前記調整基準とする医用画像データ以外の医用画像データのそれぞれについて、当該医用画像データに対応付けられた濃度調整値に前記調整基準とする医用画像データに対する変更値を加算する。
【００１３】
請求項４に記載の発明は、請求項１から３のいずれか一項に記載の医用画像表示装置において、前記指定手段は、前記第１記憶手段に記憶されている複数の医用画像データの所定の分類毎に、前記調整基準とする医用画像データを指定可能であり、前記一括調整手段は、前記第１記憶手段に記憶されている複数の医用画像データのうち、前記調整基準とする医用画像データ以外の医用画像データのそれぞれについて、前記所定の分類毎に得られた前記変更情報に基づいて、当該医用画像データに対応付けられた濃度調整値を変更する。
【００１４】
請求項５に記載の発明は、請求項４に記載の医用画像表示装置において、前記所定の分類は、モダリティー種、機種、画像サイズ、部位、患者又はそれらの組み合わせである。
【００１５】
請求項６に記載の発明は、複数の医用画像データを記憶する第１記憶手段と、前記第１記憶手段に記憶されている医用画像データに基づいて医用画像を表示する表示手段と、ユーザーによる操作を受け付ける操作手段と、制御手段と、第２記憶手段と、を備える医用画像表示装置における医用画像調整方法であって、前記第１記憶手段に記憶されている複数の医用画像データのそれぞれは、当該医用画像データに基づく医用画像が表示された際の濃度に関する濃度調整値が対応付けられており、前記操作手段が、前記第１記憶手段に記憶されている複数の医用画像データのうち、調整基準とする医用画像データのユーザーによる指定を受け付ける指定工程と、前記制御手段が、前記調整基準とする医用画像データ及び当該医用画像データに対応付けられた濃度調整値に基づいて、前記表示手段に調整基準医用画像を表示させる表示制御工程と、前記操作手段が、前記表示手段に表示された調整基準医用画像のユーザーによる濃度調整の指示を受け付ける調整指示工程と、前記制御手段が、前記調整基準とする医用画像データについて、当該医用画像データに対応付けられた濃度調整値が更新された日時である更新日時と、当該医用画像データに対する変更値と、を対応付けて前記第２記憶手段に記憶させる記憶制御工程と、前記制御手段が、前記第１記憶手段に記憶されている複数の医用画像データのうち、前記調整基準とする医用画像データ以外の医用画像データのそれぞれについて、前記調整基準医用画像に対する濃度調整により変更された内容を示す変更情報に基づいて、当該医用画像データに対応付けられた濃度調整値を変更する一括調整工程と、を含み、前記一括調整工程では、前記制御手段が、前記調整基準とする医用画像データ以外の医用画像データのそれぞれについて、前記第２記憶手段に対応付けて記憶された前記更新日時と前記変更値に基づいて、当該医用画像データの更新日時に対応する変更値を算出し、当該医用画像データに対応付けられた濃度調整値を、当該算出された変更値に基づいて変更する。
【００１６】
請求項７に記載の発明は、複数の医用画像データを記憶する第１記憶手段と、前記第１記憶手段に記憶されている医用画像データに基づいて医用画像を表示する表示手段と、第２記憶手段と、を備え、前記第１記憶手段に記憶されている複数の医用画像データのそれぞれは、当該医用画像データに基づく医用画像が表示された際の濃度に関する濃度調整値が対応付けられている医用画像表示装置のコンピューターを、前記第１記憶手段に記憶されている複数の医用画像データのうち、調整基準とする医用画像データをユーザーが指定するための指定手段、前記調整基準とする医用画像データ及び当該医用画像データに対応付けられた濃度調整値に基づいて、前記表示手段に調整基準医用画像を表示させる表示制御手段、前記表示手段に表示された調整基準医用画像の濃度調整をユーザーが指示するための調整指示手段、前記調整基準とする医用画像データについて、当該医用画像データに対応付けられた濃度調整値が更新された日時である更新日時と、当該医用画像データに対する変更値と、を対応付けて前記第２記憶手段に記憶させる記憶制御手段、前記第１記憶手段に記憶されている複数の医用画像データのうち、前記調整基準とする医用画像データ以外の医用画像データのそれぞれについて、前記調整基準医用画像に対する濃度調整により変更された内容を示す変更情報に基づいて、当該医用画像データに対応付けられた濃度調整値を変更する一括調整手段、として機能させるためのプログラムであって、前記一括調整手段は、前記調整基準とする医用画像データ以外の医用画像データのそれぞれについて、前記第２記憶手段に対応付けて記憶された前記更新日時と前記変更値に基づいて、当該医用画像データの更新日時に対応する変更値を算出し、当該医用画像データに対応付けられた濃度調整値を、当該算出された変更値に基づいて変更する。
【発明の効果】
【００１７】
本発明によれば、他の医用画像表示装置で濃度調整された医用画像データに対し、特別なツールを使うことなく、容易に最適な濃度に調整することができる。
【図面の簡単な説明】
【００１８】
【図１】医用画像管理システムのシステム構成図である。
【図２】医用画像表示装置の機能的構成を示すブロック図である。
【図３】発明の概要を示す図である。
【図４】データ移行前の医用画像表示装置において実行される医用画像表示処理を示すフローチャートである。
【図５】古い医用画像表示装置において濃度が最適化された医用画像データを新たな医用画像表示装置に移行し、濃度調整実施前に医用画像を表示した場合の表示例である。
【図６】データ移行後の医用画像表示装置において実行される濃度調整処理を示すフローチャートである。
【図７】画像表示画面の画面例である。
【図８】画像表示画面の画面例である。
【発明を実施するための形態】
【００１９】
以下、本発明の一実施の形態について説明する。なお、本発明は、図示例に限定されるものではない。
図１に、医用画像管理システム１００のシステム構成を示す。図１に示すように、医用画像管理システム１００は、医用画像表示装置１０と、モダリティー２０とが、ＬＡＮ（Local Area Network）等の通信ネットワークＮを介してデータ通信可能に接続されて構成されている。通信ネットワークＮは、ＤＩＣＯＭ（Digital Imaging and Communications in Medicine）規格が適用されている。
【００２０】
医用画像表示装置１０は、各種モダリティー２０により生成された医用画像の画像データ（医用画像データ）を保存する。また、医用画像表示装置１０は、医用画像データに基づいて医用画像を表示し、医師であるユーザーが医用画像の読影を行う際に用いられる。
【００２１】
医用画像データは、ＤＩＣＯＭ規格に則った形式で生成されたＤＩＣＯＭファイルであり、実画像データ部分とヘッダーとから構成される。ヘッダーには、医用画像に関する付帯情報（患者情報、検査情報、シリーズ情報等）が格納されている。患者情報には、患者を識別するための患者ＩＤ、患者の氏名、性別、生年月日等の情報が含まれる。検査情報には、検査を識別するための検査ＩＤ、検査日時、検査条件等の情報が含まれる。シリーズ情報には、同一検査内においてシリーズを識別するためのシリーズ番号、検査部位等の情報が含まれる。
【００２２】
図２に、医用画像表示装置１０の機能的構成を示す。図２に示すように、医用画像表示装置１０は、制御部１１、操作部１２、表示部１３、通信部１４、記憶部１５等を備えて構成され、各部はバス１６により接続されている。
【００２３】
制御部１１は、ＣＰＵ（Central Processing Unit）等により構成され、医用画像表示装置１０の各部の処理動作を統括的に制御する。具体的には、制御部１１は、記憶部１５に記憶されている各種処理プログラムを読み出し、当該プログラムとの協働により各種処理を行う。
【００２４】
操作部１２は、カーソルキー、数字入力キー及び各種機能キー等を備えたキーボードと、マウス等のポインティングデバイスを備えて構成され、キーボードに対するキー操作やマウス操作により入力された操作信号を制御部１１に出力する。
【００２５】
表示部１３は、ＬＣＤ（Liquid Crystal Display）により構成され、制御部１１から入力される表示データに基づいて各種画面を表示する。表示部１３には、医用画像等が表示される。表示部１３の輝度は、使用に応じて劣化するものであり、徐々に低くなっていく。
【００２６】
通信部１４は、モダリティー２０等の外部機器との間でデータの送受信を行うインターフェースである。
【００２７】
記憶部１５は、ハードディスクや不揮発性の半導体メモリー等により構成され、各種データを記憶する。具体的には、記憶部１５には、複数の医用画像データ、各種処理プログラム等が記憶されている。
【００２８】
医用画像管理システム１００において、医用画像表示装置１０が使用されている場合には、制御部１１は、ユーザーによる読影時、記憶部１５に記憶されている医用画像データ及び当該医用画像データに対応付けられた濃度調整値に基づいて、表示部１３に医用画像を表示させる。
ユーザーは、表示部１３に表示された医用画像を見ながら、操作部１２からの操作により、医用画像の濃度を調整する。ここで、濃度とは、明るさ、輝度等、画像の濃淡を示す指標であれば、どのような値を用いることとしてもよい。制御部１１は、この調整された濃度（階調）に関する濃度調整値と、当該濃度調整値が更新された最終の日時である更新日時と、を医用画像データと対応付けて保存する。濃度調整値として、例えば、ウィンドウ中心（ＷＣ：Window Center）、ウィンドウ幅（ＷＷ：Window Width）等が用いられる。本実施の形態では、濃度調整値としてＷＣを用いる。具体的には、制御部１１は、医用画像の濃度調整により得られたＷＣと、更新日時（濃度調整日時）と、を医用画像データのヘッダーに書き込むことによって、医用画像データと対応付ける。
【００２９】
ここで、ウィンドウレベル変換処理（階調変換）について説明する。ウィンドウレベル変換処理は、画像ファイルに保存されている画像を構成する各画素の画素値（信号値）を、モニター（表示部１３）で表現できる階調（グレイレベル）に変換する処理である。画素値に対するモニターへの出力値（グレイレベル）の対応関係、すなわち、ウィンドウレベル変換処理における入力値と出力値の対応関係は、ＷＣとＷＷの二つのパラメーターにより決まる。ＷＣは、ウィンドウレベル変換処理の対象領域の中心値である。ＷＷは、ウィンドウレベル変換処理の対象領域の幅である。ウィンドウレベル変換処理では、ＷＣを中心とした、幅ＷＷに含まれる範囲の画素値が、０〜２５５の濃淡値に変換される。ＷＣを変えると、画像の明るさが変わる。ＷＷを変えると、画像のコントラストが変わる。本実施の形態では、濃度調整により変更される値はＷＣのみとし、ＷＷは医用画像データ毎に一定である（濃度調整による変更はない）ものとする。
【００３０】
制御部１１は、記憶部１５に記憶されている複数の医用画像データを、医用画像表示装置１０から新たな医用画像表示装置３０に移行する。具体的には、制御部１１は、記憶部１５に記憶されている複数の医用画像データを、通信部１４を介して医用画像表示装置３０に送信する。
【００３１】
モダリティー２０は、患者の診断対象部位を撮影し、撮影した画像をデジタル変換して医用画像データを生成する。モダリティー２０は、例えば、ＣＲ、ＣＴ、ＭＲＩ等によって構成される。モダリティー２０は、ＤＩＣＯＭ規格に則って、付帯情報を医用画像データのヘッダーに書き込むことにより、医用画像データに付帯情報を付帯させる。
【００３２】
以上説明した医用画像管理システム１００において、古い医用画像表示装置１０に代えて新たな医用画像表示装置３０を導入する場合を例にして説明する。医用画像表示装置１０から医用画像表示装置３０へのデータ移行時、医用画像表示装置３０も通信ネットワークＮに接続され、医用画像表示装置１０と医用画像表示装置３０とは、データ通信可能に接続される。
【００３３】
医用画像表示装置３０は、図２に示すように、制御部３１、操作部３２、表示部３３、通信部３４、記憶部３５等を備えて構成され、各部はバス３６により接続されている。
医用画像表示装置３０において、医用画像表示装置１０と同様の構成については説明を省略し、医用画像表示装置３０に特徴的な構成についてのみ説明する。
【００３４】
医用画像表示装置１０から医用画像表示装置３０へのデータ移行時、医用画像表示装置１０の記憶部１５に記憶されていた複数の医用画像データは、医用画像表示装置３０に送信され、医用画像表示装置３０の記憶部３５に記憶される。
データ移行の終了後、医用画像表示装置１０と医用画像表示装置３０のうち、医用画像表示装置３０のみが通信ネットワークＮに接続された状態とされ、医用画像表示装置１０については、通信ネットワークＮとの接続が解除される。
【００３５】
記憶部３５に記憶されている複数の医用画像データのそれぞれは、他の医用画像表示装置１０から移行されたものである。各医用画像データには、他の医用画像表示装置１０において当該医用画像データに基づいて医用画像が表示された際に調整された濃度に関する濃度調整値（ＷＣ）が対応付けられている。
【００３６】
操作部３２は、記憶部３５に記憶されている複数の医用画像データのうち、調整基準とする医用画像データをユーザーが指定する際、表示部３３に表示された調整基準医用画像の濃度調整をユーザーが指示する際に用いられる。すなわち、操作部３２は、指定手段、調整指示手段として機能する。
【００３７】
制御部３１は、調整基準とする医用画像データ及び当該医用画像データに対応付けられたＷＣに基づいて、表示部３３に調整基準医用画像を表示させる。すなわち、制御部３１は、表示制御手段として機能する。
【００３８】
制御部３１は、記憶部３５に記憶されている複数の医用画像データのうち、調整基準とする医用画像データ以外の医用画像データのそれぞれについて、調整基準医用画像に対する濃度調整により変更された内容を示す変更情報に基づいて、当該医用画像データに対応付けられたＷＣを変更する。すなわち、制御部３１は、一括調整手段として機能する。
本実施の形態では、変更情報として、調整基準とする医用画像データに対応付けられたＷＣの調整前後の差分を示す変更値（以下、ＷＣ変更値という。）を用いる。
【００３９】
具体的には、調整基準とする医用画像データが一つの場合、制御部３１は、調整基準とする医用画像データ以外の医用画像データのそれぞれについて、当該医用画像データに対応付けられたＷＣに、調整基準とする医用画像データに対するＷＣ変更値を加算する。
【００４０】
一方、調整基準とする医用画像データが複数の場合、制御部３１は、複数の調整基準とする医用画像データのそれぞれについて、他の医用画像表示装置１０において当該医用画像データに対応付けられたＷＣが更新された最終の日時である更新日時と、当該医用画像データに対するＷＣ変更値と、を対応付けた対応テーブルを作成する。すなわち、制御部３１は、テーブル作成手段として機能する。
制御部３１は、調整基準とする医用画像データ以外の医用画像データのそれぞれについて、対応テーブルに基づいて、当該医用画像データの更新日時に対応するＷＣ変更値を内挿法又は外挿法により算出し、当該医用画像データに対応付けられたＷＣに、算出されたＷＣ変更値を加算する。
【００４１】
図３に、発明の概要を示す。モニター（表示部１３）の輝度が劣化した医用画像表示装置１０（旧装置）において濃度が最適化された医用画像データが、モニター（表示部３３）の輝度が正常である医用画像表示装置３０（新装置）に移行される。医用画像表示装置３０では、医用画像データと当該医用画像データに対応付けられたＷＣに基づいて医用画像が表示されるが、このＷＣは医用画像表示装置１０において最適化された値であるため、医用画像表示装置３０の表示部３３に表示されると、輝度が高過ぎ（濃度が薄過ぎ）、画像診断に適さない。そこで、濃度調整により、医用画像表示装置３０に適した濃度に変更する必要がある。本発明では、医用画像表示装置３０において、一又は複数の医用画像データに対して手動で濃度調整を行い、その調整結果に基づいて、他の医用画像データに対しても同様の濃度調整を反映させる。
【００４２】
次に、動作について説明する。
図４は、データ移行前の医用画像表示装置１０において実行される医用画像表示処理を示すフローチャートである。この処理は、医師であるユーザーが医用画像を読影する際に行われる処理であって、制御部１１と記憶部１５に記憶されているプログラムとの協働によるソフトウェア処理によって実現される。
【００４３】
まず、ユーザーが操作部１２からの操作により、記憶部１５に記憶されている医用画像データの中から、読影対象の医用画像データを指定すると（ステップＳ１）、制御部１１は、指定された医用画像データを記憶部１５から読み出し、読み出された医用画像データに基づいて、医用画像を表示部１３に表示させる（ステップＳ２）。この時、制御部１１は、指定された医用画像データに対して、当該医用画像データに対応付けられているＷＣ及びＷＷを用いてウィンドウレベル変換処理等の画像処理を行い、画像処理後のグレイレベルを表示部１３に出力する。
【００４４】
次に、制御部１１は、ユーザーの操作部１２からの操作に応じて、医用画像の濃度調整を行う（ステップＳ３）。例えば、マウスホイールの前後方向における回転が、それぞれ、画像の濃度を濃く（暗く）するための操作、画像の濃度を薄く（明るく）するための操作に対応しており、ユーザーは、マウスホイールを前後に動かすことによって、画像の濃淡を変更する。画像の濃度調整により、ＷＣが変更される。
【００４５】
次に、制御部１１は、濃度調整により得られたＷＣと、このＷＣが更新された最終の日時である更新日時（現在日時）と、を読影対象の医用画像データに対応付けて記憶する（ステップＳ４）。具体的には、制御部１１は、ＷＣ及び更新日時を、読影対象の医用画像データのヘッダーに付帯情報として書き込む。
以上で、医用画像表示処理が終了する。
【００４６】
このように、医用画像表示装置１０では、各医用画像データに対して、読影時の濃度調整により決定されたＷＣが対応付けられる。
【００４７】
図５は、医用画像表示装置１０において濃度が最適化された医用画像データを医用画像表示装置３０に移行し、医用画像表示装置３０において濃度調整実施前に表示部３３に医用画像を表示した場合の表示例である。各医用画像データには、医用画像データの更新日時（医用画像表示装置１０においてＷＣが更新された最終の日時）に応じたＷＣが対応付けられているので、各医用画像データと各医用画像データに対応付けられたＷＣに基づいて医用画像を表示すると、新しい（更新日時が現在に近い）医用画像ほど明るくなり、古い（更新日時が現在から遠い）医用画像ほど暗くなる。
【００４８】
図６は、データ移行後の医用画像表示装置３０において実行される濃度調整処理を示すフローチャートである。この処理は、制御部３１と記憶部３５に記憶されているプログラムとの協働によるソフトウェア処理によって実現される。
【００４９】
まず、ユーザーは、操作部３２からの操作により、記憶部３５に記憶されている複数の医用画像データに対して調整対象範囲を指定する（ステップＳ１１）。調整対象範囲は、医用画像データの所定の分類毎に指定可能となっている。所定の分類として、モダリティー種（ＣＲ、ＤＸ、ＣＴ等）、機種、画像サイズ（半切、四切等）、部位（胸部、手部等）、患者又はそれらの組み合わせ等が用いられる。例えば、モダリティー種が「ＣＲ」、画像サイズが「半切」、部位が「胸部」等の調整対象範囲が指定される。
制御部３１は、記憶部３５に記憶されている複数の医用画像データのヘッダー内の情報に基づいて、指定された調整対象範囲に含まれる医用画像データを抽出し、調整対象範囲に含まれる医用画像データのリストを表示部３３に表示させる。
【００５０】
次に、ユーザーが操作部３２からの操作により、調整対象範囲に含まれる医用画像データのリストから調整基準とする医用画像データを指定すると（ステップＳ１２）、制御部３１は、指定された医用画像データを記憶部３５から読み出し、読み出された医用画像データ及び当該医用画像データに対応付けられたＷＣに基づいて、表示部３３に調整基準医用画像を表示させる（ステップＳ１３）。具体的には、制御部３１は、医用画像データのヘッダーに含まれるＷＣ及びＷＷを用いて、医用画像データに対してウィンドウレベル変換処理を行い、変換後のグレイレベルを表示部３３に出力する。
【００５１】
図７に、表示部３３に表示される画像表示画面３３１の画面例を示す。画像表示画面３３１には、画像表示領域４１、基本機能指定領域４２等が含まれる。画像表示領域４１は、調整基準医用画像が表示される領域である。基本機能指定領域４２は、画像表示領域４１に表示されている医用画像に対して施される各種基本機能を指定するためのボタンが表示される領域である。また、画像表示領域４１には、調整ボタンＢ１が表示されている。調整ボタンＢ１は、画像表示領域４１に表示されている医用画像に対する調整を開始する際に押下される。
【００５２】
次に、ユーザーが操作部３２からの操作により、調整ボタンを押下すると（ステップＳ１４）、制御部３１は、調整基準とする医用画像データのヘッダーから当該医用画像データに対応付けられたＷＣ（変更前のＷＣ）を取得し、取得された変更前のＷＣを記憶部３５に記憶させる（ステップＳ１５）。
【００５３】
次に、制御部３１は、ユーザーの操作部３２からの操作に応じて、調整基準医用画像の濃度調整を行う（ステップＳ１６）。
具体的には、図７に示す画像表示画面３３１の基本機能指定領域４２において、ユーザーが操作部３２からの操作により、濃度調整ボタンＢ２を押下すると、マウスホイールを前後に動かすことによって、画像の濃淡が変更可能となる。画像の濃度調整により、画像表示領域４１に表示されている調整基準医用画像に対応するＷＣが変更される。
【００５４】
図８に、濃度調整後の画像表示画面３３２を示す。図７に示した画像表示画面３３１では、画像表示領域４１に表示されている医用画像が明る過ぎて読影に適していなかったのに対し、図８に示す画像表示画面３３２では、画像表示領域４１の医用画像の濃度が、より濃く表示されるよう調整され、読影に適した濃度となっている。また、画像表示画面３３２の画像表示領域４１には、適用ボタンＢ３が表示されている。適用ボタンＢ３は、画像表示領域４１に表示されている画像に対して実施された濃度調整を確定させる際に押下される。
【００５５】
次に、ユーザーが操作部３２からの操作により、適用ボタンＢ３を押下すると、制御部３１は、調整基準医用画像に対して施された濃度調整を確定させる（ステップＳ１７）。制御部３１は、変更後のＷＣ及び更新日時を、調整基準とする医用画像データのヘッダーに格納して医用画像データを更新するとともに、変更後のＷＣを記憶部３５に記憶させる（ステップＳ１８）。
【００５６】
次に、制御部３１は、変更前後のＷＣからＷＣ変更値を決定する（ステップＳ１９）。ＷＣ変更値は、変更後のＷＣから変更前のＷＣを引いた値（差分）である。制御部３１は、調整基準とする医用画像データの更新日時とＷＣ変更値とを対応付けて記憶部３５に記憶させる。
【００５７】
ここで、制御部３１は、ユーザーの操作部３２からの操作により、手動調整を終了する旨の指示があったか否かを判断する（ステップＳ２０）。手動調整を終了する旨の指示がない場合には（ステップＳ２０；ＮＯ）、ステップＳ１２に戻り、処理が繰り返される。
【００５８】
ステップＳ２０において、手動調整を終了する旨の指示があった場合には（ステップＳ２０；ＹＥＳ）、制御部３１は、調整基準として複数の医用画像データが指定されたか否かを判断する（ステップＳ２１）。
【００５９】
調整基準として複数の医用画像データが指定されなかった場合（ステップＳ２１；ＮＯ）、すなわち、調整基準として一つの医用画像データが指定された場合には、制御部３１は、調整対象範囲に含まれる医用画像データのうち、調整基準とする医用画像データ以外の医用画像データ（以下、他の調整対象の医用画像データという。）に対応付けられたＷＣに、調整基準とする医用画像データに対するＷＣ変更値を加算する。具体的には、制御部３１は、他の調整対象の医用画像データのそれぞれについて、医用画像データのヘッダーからＷＣを取得し、取得されたＷＣにＷＣ変更値を加えた値を変更後のＷＣとして医用画像データのヘッダーに格納する。
【００６０】
ステップＳ２１において、調整基準として複数の医用画像データが指定された場合には（ステップＳ２１；ＹＥＳ）、制御部３１は、複数の調整基準とする医用画像データのそれぞれについて、当該医用画像データの更新日時と当該医用画像データに対するＷＣ変更値とを対応付けた対応テーブルを作成する（ステップＳ２３）。
【００６１】
次に、制御部３１は、対応テーブルに基づいて、他の調整対象の医用画像データに対応付けられたＷＣを変更する。（ステップＳ２４）。具体的には、制御部３１は、他の調整対象の医用画像データのそれぞれについて、医用画像データのヘッダーから更新日時を取得し、対応テーブルを参照して、内挿法又は外挿法により、取得された更新日時に対応するＷＣ変更値を算出する。制御部３１は、他の調整対象の医用画像データのそれぞれについて、医用画像データのヘッダーからＷＣを取得し、取得されたＷＣに、算出されたＷＣ変更値を加えた値を変更後のＷＣとして医用画像データのヘッダーに格納する。
【００６２】
ステップＳ２２又はステップＳ２４の後、制御部３１は、表示部３３に表示中の医用画像については、変更後のＷＣを用いて再表示させる（ステップＳ２５）。
以上で、濃度調整処理が終了する。
【００６３】
以上の処理が、ステップＳ１１において指定される調整対象範囲を変更して繰り返し行われ、最終的には、記憶部３５に記憶されている全ての医用画像データに対して濃度調整が行われる。
なお、記憶部３５に記憶されている全ての医用画像データに対する濃度調整処理が一律の条件で実行可能である場合には、調整対象範囲として記憶部３５に記憶されている全ての医用画像データを指定してもよい。
【００６４】
今後、医用画像表示装置３０において医用画像を表示する際には、制御部３１は、医用画像データに対応付けられた調整後のＷＣを用いる。制御部３１は、記憶部３５に記憶されている医用画像データに基づいて、表示部３３に医用画像を表示させる際に、医用画像データのヘッダーに含まれるＷＣ及びＷＷを用いて、医用画像データに対してウィンドウレベル変換処理を行い、変換後のグレイレベルを表示部３３に出力する。
【００６５】
以上説明したように、本実施の形態によれば、医用画像表示装置３０において、調整基準とする医用画像データに対する濃度調整結果（変更情報）に基づいて、他の医用画像データに対応付けられたＷＣを変更するので、他の医用画像表示装置１０で濃度調整された医用画像データに対し、特別なツールを使うことなく、容易に最適な濃度に調整することができる。
【００６６】
具体的には、調整基準とする医用画像データに対応付けられたＷＣの調整前後の差分を示すＷＣ変更値に基づいて、他の調整対象の医用画像データに対応付けられたＷＣを変更することができる。
【００６７】
また、調整基準とする医用画像データが一つの場合には、調整基準とする医用画像データ以外の医用画像データのそれぞれについて、当該医用画像データに対応付けられたＷＣに、調整基準とする医用画像データに対するＷＣ変更値を加算するので、他の調整対象の医用画像データについても、調整基準とする医用画像データと同様の濃度調整を行うことができる。
【００６８】
また、調整基準とする医用画像データが複数の場合には、調整基準とする医用画像データの更新日時と当該医用画像データに対するＷＣ変更値とを対応付けた対応テーブルを作成する。そして、調整基準とする医用画像データ以外の医用画像データのそれぞれについて、対応テーブルに基づいて、当該医用画像データの更新日時に対応するＷＣ変更値を算出し、当該医用画像データに対応付けられたＷＣに、算出されたＷＣ変更値を加算するので、医用画像データの更新日時に応じて濃度調整を行うことができる。
【００６９】
また、複数の医用画像データに対し、モダリティー種、機種、画像サイズ、部位、患者等の分類毎に、調整基準とする医用画像データを指定して、濃度調整を行うことができる。
【００７０】
なお、上記実施の形態における記述は、本発明に係る医用画像表示装置の例であり、これに限定されるものではない。装置を構成する各部の細部構成及び細部動作に関しても本発明の趣旨を逸脱することのない範囲で適宜変更可能である。
【００７１】
例えば、上記実施の形態では、濃度調整値としてＷＣを用いた場合について説明したが、医用画像データに対してどのような濃度調整が行われたかを示す値であれば、他の値を用いることとしてもよい。
【００７２】
また、上記実施の形態では、医用画像表示装置１０から医用画像表示装置３０に移行される医用画像データがＤＩＣＯＭ規格に則った形式で生成されたＤＩＣＯＭファイルである場合について説明したが、濃度調整対象となる医用画像データはＲＡＷ画像であってもよい。ＲＡＷ画像の場合には、濃度調整値（ＷＣ等）や更新日時等の情報が医用画像データのヘッダーに含まれるのではなく、濃度調整値や更新日時等の情報が別の方法で医用画像データに対応付けられていればよい。
【００７３】
以上の説明では、各処理を実行するためのプログラムを格納したコンピューター読み取り可能な媒体としてハードディスクや不揮発性の半導体メモリー等を使用した例を開示したが、この例に限定されない。その他のコンピューター読み取り可能な媒体として、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【００７４】
１０  医用画像表示装置
２０  モダリティー
３０  医用画像表示装置
３１  制御部
３２  操作部
３３  表示部
３５  記憶部
１００  医用画像管理システム
Ｎ  通信ネットワーク
【図１】
0006699197.tif 000002
【図２】
0006699197.tif 000003
【図３】
0006699197.tif 000004
【図４】
0006699197.tif 000005
【図５】
0006699197.tif 000006
【図６】
0006699197.tif 000007
【図７】
0006699197.tif 000008
【図８】
0006699197.tif 000009